(57)【特許請求の範囲】
【請求項１】
保水性を有する保水体の集合体である保水構造体と、通気性を有し、前記保水構造体と施工対象面との間に空間を形成して前記保水構造体を支持する支持部材と、を備え、前記支持部材は、前記保水構造体の下方の前記施工対象面が歩行路として使用可能なように、前記保水構造体と前記施工対象面との間に空間を形成した保水設備。
【請求項２】
保水性を有する保水体の集合体である保水構造体と、
通気性を有し、前記保水構造体と施工対象面との間に空間を形成して前記保水構造体を支持する支持部材と、を備え、
前記支持部材は、上方の構造物から吊り下げられている保水設備。
【発明の詳細な説明】
【技術分野】
【０００１】
本発明は保水設備に関し、特に、保水体を利用する保水設備に関する。
【背景技術】
【０００２】
近年、都市部の気温が郊外部に比べて高くなる現象、いわゆるヒートアイランド現象がますます顕著となりつつある。ヒートアイランド現象は、熱中症や睡眠障害など健康への影響を引き起こすだけでなく、空調などの電気設備の負荷増加を招くことにより、エネルギー消費量を増加させる。
【０００３】
また、ヒートアイランド現象は、近年、都市部で局所的に大雨が降る現象、いわゆるゲリラ豪雨の要因ともいわれている。特に都市部では、地面の大部分がアスファルトやコンクリートで舗装されているため、雨水を吸収することができない。ゲリラ豪雨が発生した場合、短時間で許容量を超える雨水が下水道や河川に流入し、都市部に特徴的な水害である都市型洪水が発生する。以上の諸問題を防止するために、ヒートアイランド現象緩和策が切望されている。
【０００４】
都市空間は、すでに地上、地下とも過密利用されている。そのため、ヒートアイランド現象の緩和技術として、利用率の低いビルの屋上の有効活用に期待が寄せられている。そのひとつに、建物の屋上に芝生等を敷設する屋上緑化の試みがある。しかし、屋上緑化は、施工費用や維持管理の問題から、十分な普及には至っていない。また、屋上緑化された設備は、雨水を保水する能力がそれほど高いわけではなく、都市型洪水の緩和にはあまり役に立っていなかった。
【０００５】
そのため、より大量の雨水を貯留して都市型洪水を抑制する新たな技術が求められている。この技術はまた、貯留した雨水を晴天時に蒸発させ、蒸発冷却作用によって建物や周囲の温度上昇を抑え、ヒートアイランド現象を緩和できればより望ましい。
【０００６】
特許文献１には、ビルの屋上などに敷設することができ、保水性と蒸発性を兼ね備えた保水セラミックス、およびこの保水セラミックスを敷き詰める技術が提案されている。
【先行技術文献】
【特許文献】
【０００７】
【特許文献１】特開２０１０−１００５１３号公報
【発明の概要】
【発明が解決しようとする課題】
【０００８】
特許文献１の技術は、保水セラミックスを２〜２０ｃｍの厚さで敷き詰める。しかし、この構造では、吸収した水の蒸発性を考慮する必要がある。この点において、本発明者は改善の余地を認識した。
【０００９】
本発明はこうした課題に鑑みてなされたものであり、保水設備の蒸発効率をさらに高めることができる技術を提供することを目的とする。
【課題を解決するための手段】
【００１０】
本発明の保水設備は、保水性を有する保水体の集合体である保水構造体と、通気性を有し、保水構造体と施工対象面との間に空間を形成して保水構造体を支持する支持部材と、を備える。
【００１１】
この態様によると、保水性を維持しつつ、通気性と通水性を確保し、蒸発性を向上をさせることができる。これにより、施工対象面の保護および施工対象面や保水構造体の藻・カビの発生を抑制することができる。
【発明の効果】
【００１２】
本発明の保水設備によれば、保水性を維持しつつ、保水設備の蒸発性を向上をさせることができる。
【図面の簡単な説明】
【００１３】
【図１】前提出願の実施の形態に係る保水構造体の断面図である。
【図２】図１の保水構造体の通水系統図である。
【図３】前提出願の別の実施の形態に係る保水構造体の支持材を示す断面図である。
【図４】前提出願の実施の形態で用いられる保水用セラミックスの斜視図である。
【図５】試験方法の説明図であり、（ａ）図は平面図、（ｂ）図は（ａ）図のＢ−Ｂ線断面図である。
【図６】実験例１〜５の保水用セラミックスの気孔の孔径分布図である。
【図７】実験例６〜１０の保水用セラミックスの気孔の孔径分布図である。
【図８】（ａ）図は、試験体１を示す模式的な断面図、（ｂ）図は試験体１〜３のスラブ下温度の経時変化を示すグラフである。
【図９】試験体１，３のスラブ表面温度の経時変化を示すグラフである。
【図１０】（ａ）図は試験体４を示す模式的な断面図、（ｂ）図は試験体４，５の上方大気温度の経時変化を示すグラフである。
【図１１】ケース１〜３の初期及び維持費用を比較するグラフである。
【図１２】保水用セラミックスと芝生の試験期間内の蒸散・吸水量を対比して示すグラフである。
【図１３】保水用セラミックスと芝生の蒸散量と吸水量の累計を対比して示すグラフである。
【図１４】実験例における試験方法の説明図であり、パレット上の保水用セラミックスの積重状態を示す模式図である。
【図１５】第１の実施の形態に係る保水設備の斜視図である。
【図１６】第１の実施の形態に係る保水設備を図１５の矢印Ａ方向から見た側面図である。
【図１７】第２の実施の形態に係る保水設備の斜視図である。
【図１８】第３の実施の形態に係る保水設備の斜視図である。
【図１９】第４の実施の形態に係る保水設備の斜視図である。
【図２０】第５の実施の形態に係る保水設備の斜視図である。
【図２１】支持部材の変形例を示す斜視図である。
【図２２】保水構造体の敷設の変形例を示す、図２１の矢印Ｂ方向から見た側面図である。
【発明を実施するための形態】
【００１４】
本願発明を説明するために、まず本願の前提となる特願２００９−１３７４０３号（以下前提出願という）の記載内容を説明し、その後、本発明の実施例を説明する。なお、前提出願に関する記述の中（［本発明の実施例］の前までの部分）において「本発明」というときは「前提出願の発明」と読み替えるものとする。
［前提出願の技術分野］
【００１５】
本発明は、地表や建物の屋上等に適用される、保水用セラミックスを用いた保水構造体に関する。
［前提出願の背景技術］
【００１６】
多孔質セラミックスよりなるブロック状の保水体を建物の屋上に配設し、散水用の給水パイプを旋回させて保水体に散水し、建物の冷却を図るシステムが特開平８−３１２０１８に記載されている。
【００１７】
特開２００６−３４２９７９には、空冷式冷房装置の室外機の送風ファンの吸引側に湿潤した多孔質保水部を配置し、水の蒸発熱によって空気を冷却して凝縮機の冷却効率を高めることが記載されている。
【００１８】
特開平８−７３２８２の０００５段落には、粘土、吸水性ポリマー及び水を混練し、成形した後、電子レンジで乾燥し、次いで１１００℃で２時間焼成する多孔質セラミックスの製造方法が記載されている。同号公報には、吸水した吸水性ポリマーの粒径が０．１〜２．０ｍｍであると記載されている（請求項４）。このように、吸水性ポリマーの粒径が大きいと、多孔質セラミックスの気孔も粗大となり、多孔質セラミックスの保水性は高くない。
［前提出願の先行技術文献］
［特許文献］
【００１９】
［特許文献１］特開平８−３１２０１８
［特許文献２］特開２００６−３４２９７９
［特許文献３］特開平８−７３２８２
［前提出願の発明の概要］
［前提出願の発明が解決しようとする課題］
【００２０】
上記特許文献１のように多孔質セラミックスよりなる保水体を屋上に配設した場合、年月の経過と共に保水体の間にゴミが溜り、冷却機能が低下する。
【００２１】
上記特許文献２では、空冷式冷房装置の室外機の吸引側に柱状の保水部を設けているが、空気と保水部との接触が不十分であり、更に保水部の容積が吸引される空気量に比べ小さいため空気を冷却する作用は乏しい。
【００２２】
本発明は、建物や地表の冷却効果を長い年月にわたって十分に発揮することができる保水構造体を提供することを目的とする。
［前提出願の課題を解決するための手段］
【００２３】
前提出願の請求項１の保水構造体は、少なくとも一部が建造物又は地表から上方に離隔している支持材と、該支持材上に配材された保水用セラミックスとを備えてなり、該支持材に多数の開口が設けられているものである。
【００２４】
前提出願の請求項２の保水構造体は、請求項１において、該保水用セラミックスに給水する給水手段を備えたことを特徴とするものである。
【００２５】
前提出願の請求項３の保水構造体は、前提出願の請求項１又は２において、前記支持材の下側のスペースから空気を空冷式冷房装置の室外機の空気吸込側に導く手段を備えたことを特徴とするものである。
【００２６】
前提出願の請求項４の保水構造体は、前提出願の請求項３において、前記室外機のドレンを保水用セラミックスへの給水手段に導く手段を備えたことを特徴とするものである。
【００２７】
前提出願の請求項５の保水構造体は、前提出願の請求項１ないし４のいずれか１項において、保水用セラミックスの温度を検知する温度検知手段と、該温度検知手段で検知される温度が所定温度以上となったときに前記給水手段を作動させる制御手段とを備えたことを特徴とするものである。
【００２８】
前提出願の請求項６の保水構造体は、前提出願の請求項１ないし５のいずれか１項において、該保水用セラミックスは、その全体積の５３〜７０％が孔径１〜１００μｍの気孔よりなることを特徴とするものである。
【００２９】
前提出願の請求項７の保水構造体は、前提出願の請求項１ないし６のいずれか１項において、該保水用セラミックスに、上下方向に貫通した内径１ｍｍ以上の通気孔が設けられていることを特徴とするものである。
［前提出願の発明の効果］
【００３０】
本発明の保水構造体では、建物の屋上や地表に設けられた支持材上に保水用セラミックスを配材する。この保水用セラミックスから水が蒸発することにより冷却効果が得られる。
【００３１】
本発明では、この支持材がネットやパンチングメタル、グレーチングなど多数の開口を有したものにて構成されている。そのため、保水用セラミックス同士の間に入り込んだゴミなどの異物は、この開口を通って支持材の下側へ流出ないし落下する。従って、保水用セラミックス同士の間や支持材の上にゴミが大量に溜ることがなく、長期にわたって優れた冷却効果を得ることができる。なお、支持材は上記例に限らず、開口を有する樹脂成形品などであってもよい。
【００３２】
この支持材の下側のスペースから、冷却された空気を空冷式冷房装置の室外機の空気吸込側に導くことにより、空冷式冷房装置の冷房効率が向上する。この室外機のドレンを保水用セラミックスへの給水の一部として利用することにより、水を節約することができる。
【００３３】
本発明では、保水用セラミックスの温度を検知し、この温度が所定温度以上になったときに給水を行うようにしてもよい。このように保水用セラミックスの温度上昇に応じて給水を行うことにより、保水用セラミックスを常に湿潤状態とすることができる。
【００３４】
本発明で用いる保水用セラミックスは、多孔質セラミックスよりなり、包蔵した水の蒸発潜熱によって冷却効果を発揮する。本発明では、保水用セラミックスに内径１ｍｍ以上の通気孔が設けられていてもよい。この場合、保水用セラミックスの深奥部まで水が浸透し易く、また保水用セラミックスの深奥部に包蔵された水も蒸発し易い。従って、水の吸収速さ及び蒸発速さが大きい。
【００３５】
本発明にあっては、保水用セラミックスは、全体積の５３〜７０％が孔径１〜１００μｍの気孔よりなることが好ましい。このように比較的微細な気孔を多量に有する保水用セラミックスは保水性が高いと共に、表面の比表面積も大きく、水の蒸発性がよい。従って、降雨や散水によって素早く多量の水を吸水し、都市型洪水を防止することができる。また、この孔径の気孔は、超微細というものではなく、凍結するときには、気孔内の水が凍結時の水の体積膨張に伴って保水用セラミックス外に速やかに押し出されるので、凍結融解が繰り返されても、割れるおそれが殆どない。
［前提出願の発明を実施するための形態］
【００３６】
以下、図面を参照して実施の形態について説明する。
【００３７】
［前提出願の第１の実施の形態］
第１図及び第２図に第１の実施の形態を示す。第１図は実施の形態に係る保水構造体の
断面図、第２図はその通水系統図である。
【００３８】
地表に打設されたコンクリート面やアスファルト等の防水面又は建物の屋上面２０から所定距離（例えば１〜３０ｃｍ程度）上方に多数の開口を有した支持材２１が略水平に設置されている。
【００３９】
支持材２１は支柱２２によって支持されている。なお、支柱２２によって梁を支持し、この梁の上に支持材２１を設置してもよく、支持材２１が十分な強度を有しているときには支柱２２によって直に支持材２１を支承してもよい。支持材２１と支柱２２とは一体で成形されたものでも、別に成形され接合されたものでもよい。
【００４０】
支持材２１としては、ネット（例えば金網）、グレーチング、孔あき板（例えばパンチングメタル）などを用いることができる。支持材２１には、その上に配材される保水用セラミックスの落下が防止される範囲でなるべく大きい開口孔の開口が多数設けられている。支持材２１の開口率は、支持材２１に必要な強度を確保できる範囲でなるべく大きいことが好ましく、開口率は６５％以上のものが好ましい。
【００４１】
支持材２１の周囲に囲壁部２３が立設されている。この囲壁部２３で囲まれた支持材２１上に保水用セラミックス２４が配設されている。
【００４２】
この実施の形態では、保水用セラミックス２４は体積が３〜３５０ｃｍ３程度の塊状であり、厚さ３〜２０ｃｍ程度に敷き詰められることが好ましい。
【００４３】
保水用セラミックス２４の上方に散水パイプ２５が設置されている。この散水パイプ２５の下面には、所定間隔をおいて多数の散水孔が設けられている。散水パイプの代りにスプリンクラー等を用いてもよい。
【００４４】
第２図に示すように、散水パイプ２５に対し、給水タンク２６内の水が弁２７を介して供給可能とされている。給水タンク２６内には、雨桶２８等によって雨水が流入するようになっている。なお、給水タンク２６内が空にならないようにボールタップ２９が設けられており、給水タンク２６内の水位がボールタップ開栓水位以下になるとボールタップ２９が開栓し、水道水又は井戸水等の水源からの水が補給されるようになっている。
【００４５】
ボールタップ２９に連なる給水管３０の途中にエゼクタ３１が設けられている。このエゼクタ３１の吸引ポートは、後述するドレンタンク３９の底部に対し配管３２を介して接続されている。
【００４６】
第１図の通り、支持材２１と地表又は屋上面２０との間のスペース３４は、封隔板３５によって外周囲の大気から隔絶されている。このスペース３４内の空気を空冷式冷房装置の室外機３７の吸込側に導くようにダクト３６が設けられている。
【００４７】
第２図の通り、この室外機３７のドレン口３８からのドレン水を受け入れるようにドレンタンク３９が設けられている。このドレンタンク３９の底部の流出口に前記配管３２が接続されている。
【００４８】
前記支持材２１上の保水用セラミックス２４の表面温度を測定するように温度センサ４０が設置されている。この温度センサ４０としては、放射型温度センサのほか、熱電対などの接触型温度センサ等を用いることができる。この温度センサ４０の検知温度が制御器４１に入力されており、夏季などにおいて検知温度が所定温度（例えば３０〜５０℃から選択される温度）を超えると、弁２７が開弁し、散水パイプ２５から散水が行われる。この実施の形態では、この散水は所定時間又は所定水量だけ行われた後、自動的に停止するようになっている。
【００４９】
このように散水が行われることにより、保水用セラミックス２４は常に湿潤状態となっている。
【００５０】
このように構成された保水構造体にあっては、湿潤した保水用セラミックス２４からの水の蒸発により、地表温度又は屋上温度が抑制される。
【００５１】
また、室外機３７を作動させた場合、保水用セラミックス２４の堆積層を通過して冷却された空気がスペース３４、ダクト３６を介して室外機３７に流れ込むので、空冷式冷房装置の冷房効率を向上させることができる。この室外機のドレンをドレンタンク３９に回収し、給水タンク２６に送水することにより、蒸散水源として利用することができる。
【００５２】
この実施の形態にあっては、保水用セラミックス２４がネット等よりなる支持材２１上に配列されているので、支持材２１上や保水用セラミックス２４同士の間にゴミ等が溜ることがなく、上記の効果を長期間維持することができる。
【００５３】
［前提出願の第２の実施の形態］
上記実施の形態では平板状の支持材２１を支柱２２によって支承することによりスペース３４を形成しているが、第３図のように波板状の支持材４４を地表又は屋上面等に直置きするように設置してもよい。この場合、支持材４４と地表又は屋上面２０との間に生じるスペース４５の空気を室外機に導くようにダクトを設ける。
【００５４】
［前提出願の保水用セラミックスの別形状例］
上記実施の形態では塊状の保水用セラミックス２４を用いているが、第４図に示すように柱形の保水用セラミックス４６，４７を柱軸方向が上下方向となるように配列してもよい。
【００５５】
第４図（ａ）に示す保水用セラミックス４６は、高さ１０〜３００ｍｍ程度の多孔質セラミックスよりなる円柱状であり、円柱の軸心部には柱軸方向に貫通する孔径１〜２００ｍｍ程度の通気孔４６が設けられている。この通気孔４６を設けたことにより、保水用セラミックス４６の深奥部に吸蔵された水も蒸発し易いものとなる。また、保水用セラミックス４６に降雨が掛ったときに雨水が保水用セラミックスの深奥部にまで吸収され易い。
【００５６】
なお、１本の通気孔４６を有した保水用セラミックス４６の代わりに、第４図（ｂ）に示す複数本の通気孔４７ａを有した多孔質セラミック製保水用セラミックス４７を用いてもよい。保水用セラミックスは円柱形に限らず、楕円柱形、角柱形などであってもよい。また、通気孔は省略されてもよい。
【００５７】
次に、保水用セラミックスを構成する多孔質セラミックスの好適な気孔径、材料、組成及び製造方法等について説明する。
【００５８】
［前提出願の保水用セラミックスの気孔径］
本発明で用いる保水用セラミックスは、その保水用セラミックスの全体積の５３〜７０％好ましくは５５〜６８％が、孔径１〜１００μｍ、好ましくは１５〜４０μｍの微細気孔よりなることが好ましい。上述の通り、このように微細な気孔を多量に含むことにより、保水用セラミックスの保水性及び水の蒸発性が良好となる。
【００５９】
より好ましくは、この孔径１〜１００μｍの気孔の６０％以上、例えば７０〜９５％が孔径１０〜５０μｍ、好ましくは１５〜４０μｍの気孔よりなる。特に、本発明で用いる保水用セラミックスは、その保水用セラミックスの全体積の１０〜７０％、特には１５〜５０％が孔径１５〜４０μｍの微細気孔よりなることが好ましい。
【００６０】
この保水用セラミックスの全気孔率は、５５〜８０％であることが好ましい。保水用セラミックスの全気孔率が５５％未満では、全体積の５３〜７０％が孔径１〜１００μｍの微細気孔の保水用セラミックスの実現し得ず、８０％よりも大きいと、強度が不足し、敷設材料としての実用性が損なわれる。
【００６１】
なお、本発明では、気孔の孔径の測定は、水銀ポロシメータを用い、ＪＩＳ  Ｒ  １６５５に従って行われる。
【００６２】
この保水用セラミックスは、１〜１２００ｃｍ３特に１〜２００ｃｍ３とりわけ２０〜１００ｃｍ３程度の大きさであることが好ましい。この大きさのものは、屋上や庭などに敷き詰め易い。保水用セラミックスの形状は球形、楕円球状（例えばラグビーボール状）、立方体、直方体、錘形、円盤形状、柱状体など任意である。
【００６３】
この保水用セラミックスを好ましくは厚さ２〜２０ｃｍ特に８〜１５ｃｍ程度に厚く敷き詰めることにより、保水用セラミックス層全体の保水容量が増大し、急激な降雨や一時的に多量の散水が行われたときでも、水を十分に保水することができる。従って、本発明の保水用セラミックスを都市の多くの建物や庭、空地等に敷き詰めることにより、都市型洪水を防止することも可能となる。
【００６４】
また、この保水用セラミックスから、水が蒸発するときの蒸発潜熱により冷却が行われるので、本発明の保水用セラミックスを都市の多くの建物や庭、空地等に敷き詰めることにより、ヒートアイランド現象を防止することが可能となる。
【００６５】
上記孔径の気孔内の水は、凍結時に保水用セラミックス外に押し出され易く、凍結融解作用を繰り返し受けても、保水用セラミックスが割れることは殆どない。
【００６６】
［前提出願のセラミックスの組成］
この保水用セラミックスを構成するセラミックスの組成は
ＳｉＯ２：５０〜８０ｗｔ％とりわけ５５〜７０ｗｔ％
Ａｌ２Ｏ３：１０〜３０ｗｔ％とりわけ１５〜２５ｗｔ％
Ｎａ２Ｏ及びＫ２Ｏの合計：１〜１０ｗｔ％とりわけ３〜７ｗｔ％
であることが好ましい。
【００６７】
かかるソーダ・カリを多く含むアルミノ珪酸塩系セラミックスは、親水性であり、保水用セラミックスの保水性及び水の蒸発性が良好となる。
【００６８】
なお、湿潤状態にある保水用セラミックスに藻が発生することを防止するために、ＣｕＯを保水用セラミックス中に０．１〜１．５ｗｔ％程度配合してもよい。
【００６９】
本発明で用いる保水用セラミックスには、その一部又は全面に光触媒コーティング液を塗布して光触媒効果を付与してもよく、これにより、光触媒による浄化作用で、保水用セラミックスの耐汚染性を高めることができる。
【００７０】
［前提出願の保水用セラミックスの製造方法］
次に保水用セラミックスの好適な製造方法について説明する。
【００７１】
この保水用セラミックスを製造するには、窯業系原料、アルミナセメント及び粉末状吸水性ポリマー並びに好ましくは更に炭酸リチウムを乾式混合し、次いで水を添加して混合し、その後、成形、乾燥及び焼成する。この際の配合割合は、好ましくは、
窯業系原料：７５〜９５ｗｔ％、特に８０〜９５ｗｔ％
アルミナセメント：３〜１５ｗｔ％、特に５〜１５ｗｔ％
吸水性ポリマー：０．５〜１０ｗｔ％、特に１〜５ｗｔ％
炭酸リチウム：１０ｗｔ％以下、特に１〜１０ｗｔ％、とりわけ１〜５ｗｔ％
である。
【００７２】
なお、水の混合割合は、水以外の全原料の合計重量に対して１３０〜１７０ｗｔ％程度であって、吸水性ポリマーに対して８０〜１５０倍程度とすることが、取り扱い性、成形性、吸水性ポリマーの吸水膨張性、その後の乾燥、焼成効率の面から好ましい。
【００７３】
窯業系原料としては、カリ長石、粘土、珪砂などの１種又は２種以上を用いることができるが、これに限定されない。これらの窯業系原料をＳｉＯ２、Ａｌ２Ｏ３、Ｎａ２Ｏ＋Ｋ２Ｏの割合が前述となるように選択して用いる。
【００７４】
アルミナセメントとしては、ＪＩＳに定めるものを用いることができる。
【００７５】
このアルミナセメントは、硬化が速いので、水を添加して混合し、成形すると、短時間のうちにハンドリングできる程度の成形体が得られる。
【００７６】
粉末状吸水性ポリマーとしては、粒径１０〜５０μｍ、特に２０〜３０μｍ程度のものが好適である。
【００７７】
吸水性ポリマーとしては、ポリアクリル酸塩系、酢酸ビニル・アクリル酸エステル共重合体ケン化物、でんぷん・アクリル酸グラフト共重合体など、各種のものを１種を単独で、或いは２種以上を混合して用いることができる。
【００７８】
この混合物を成形するには、定量充填機、鋳込成型機、押出成形機、ハニカム成形機などを用いることができるが、これに限定されない。
【００７９】
この成形体を好ましくは８０〜２５０℃で５〜４０時間、特に６〜１２時間加熱して乾燥した後、好ましくは１０５０〜１２００℃、特に１１００〜１１５０℃で０．２〜２０時間、特に０．３〜２時間焼成して焼結体とする。この焼成には、ローラーハースキルン、トンネルキルン、シャトルキルン等を用いることができる。
【００８０】
［保水用セラミックスの応用例及びその効果］
保水用セラミックスは、気孔径及びその割合が厳密に制御された多孔質セラミックスであり、雨水を吸水することにより治水し、また、吸水した水を日射によって蒸散させる性能を有する。
【００８１】
従って、保水用セラミックスを、ビル屋上や個人住宅又は公共施設の通路、広場、庭等に敷設することにより、以下のＡ，Ｂのような環境対策を図ることができる。
【００８２】
Ａ．個別ビルの環境対策
Ａ−１．ビルの省エネ・ＣＯ２削減：
保水用セラミックスをビル屋上に敷設することにより、保水用セラミックスによる雨水の治水・蒸散で、屋上スラブ温度を下げ、階下の空調の使用電力量を減らすことができる。
【００８３】
また、屋上に設置された空調室外機の周辺温度を下げ、全階の空調の運転効率を向上させ、使用電力量を減らすこともできる。特に、屋上階の夏場の空調の使用電力量を大きく低減することができる。
【００８４】
この結果、ＣＯ２の排出量の削減も可能となる。
【００８５】
Ａ−２．ビルの屋上緑化の代替：
保水用セラミックスは、芝生等の植物と同様の保水、冷却の性能を有すると共に、高耐久・長寿命かつ自然降雨を利用する維持管理不要な材料であるため、屋上緑化代替の有力候補となる。
【００８６】
現状の屋上緑化は維持に手間が掛かり、管理費も高いが、保水用セラミックスによれば、この問題を解決できる。
【００８７】
Ａ−３．ビルの屋上防水層のメンテナンス経費削減：
保水用セラミックスは、熱伝導率が０．２Ｗ／ｍ・Ｋ程度の低熱伝導性で断熱性が高いので、これをビル屋上に敷設することにより、屋上スラブ温度を一定に保つことができる。また、紫外線も防ぐことができる。
【００８８】
現状では１０年程度で防水層の補修が必要とされるが、保水用セラミックスを適用することにより、このメンテナンス頻度を低減できる。
【００８９】
Ｂ．都市の環境対策
Ｂ−１．ヒートアイランド対策：
保水用セラミックスは、ビル屋上を占有する各種機器（室外機・熱源など）の下にも敷設できるので、本発明の保水用セラミックスを各所に敷設することにより、都市の蒸散面積を増やし、街区全体の温度をより一層低減することができる。
【００９０】
また、保水用セラミックスは、芝生と比較して高い蒸散能力があるので、芝生に比べて単位面積当たりの温度低減効果も高い。
【００９１】
Ｂ−２．ゲリラ豪雨対策：
保水用セラミックスは、芝生と比較して高い治水能力があるので、ビル屋上に可能な限り敷設すれば、ゲリラ豪雨のピークカットが期待できる。
【００９２】
Ｂ−３．資源の再利用
保水用セラミックスは、従来、廃棄物とされていた長石キラを主原料（例えば原料の９０％）として製造することができる。長石キラはタイル原料の長石を採掘する時の副産物であり、従来は廃棄物とされていたものである。
【００９３】
以下に、多孔質セラミックスによる上記Ａ，Ｂの効果を示す実験例ないしは試算例を挙げる。
【００９４】
＜Ａ−１．ビルの省エネ・ＣＯ２削減＞
第８図（ａ）に示すように、底部及び４側面が断熱材１１で構成された箱型容器内にコンクリートスラブ１２を敷設し、その上に、多孔質セラミックス（例えば、後掲の実験例２と同様にして製造された多孔質セラミックス）１３を厚さ１０ｃｍに敷設し、試験体１とした。多孔質セラミックスの敷設面積は１ｍ２である。なお、底部断熱材１１とコンクリートスラブ１２との間には、温度センサ１４を設けた。
【００９５】
別に、この多孔質セラミックスの代りに芝生を植えたものを試験体２とし、多孔質セラミックスを敷設しなかったものを試験体３とした。
【００９６】
これらの試験体１〜３を並べて置き、気温と、各試験体の温度センサ１４の測定温度の経時変化を調べ、結果を第８図（ｂ）に示した。
【００９７】
なお、第８図（ｂ）のグラフ中、吸水期間は、降雨のあった期間であり、それ以外は、曇ないし晴天であった。
【００９８】
第８図（ｂ）より明らかなように、多孔質セラミックスを敷設した試験体１は、敷設なしの試験体３に対してスラブ下温度で最大−８℃の温度低減効果があった。しかも、試験体１の蒸散効果は、芝生を植えた試験体２よりも大きいものであった。
【００９９】
この結果から、多孔質セラミックスによる雨水の治水・蒸散で、屋上スラブ温度を下げ、階下の空調の使用電力量を減らすことができることが分かる。
【０１００】
次に、第８図（ａ）に示すと同様に多孔質セラミックス１３を敷設すると共に温度センサ１４を設けた試験体１と、多孔質セラミックスを敷設していない試験体３により、屋上スラブ表面温度の変化を模擬するものとして、１日２４時間の温度センサ１４の測定温度を調べ、結果を第９図に示した。
【０１０１】
なお、多孔質セラミックス、コンクリートスラブ及び土の一般的な熱伝導率は以下に示す通りである。
【０１０２】
多孔質セラミックス        ：０．２０Ｗ／ｍ・Ｋ
コンクリートスラブ        ：０．１５Ｗ／ｍ・Ｋ
土                        ：０．６３Ｗ／ｍ・Ｋ
【０１０３】
第９図より明らかなように、屋上スラブの表面温度の一日の変化量は、多孔質セラミックスを敷設した試験体１では２℃であるのに対して、敷設していない試験体３では１５℃だった。この結果から、多孔質セラミックスを敷設することにより、日射によるスラブへの熱負荷が軽減されることが分かる。
【０１０４】
次に、第１０図（ａ）に示すように、底部及び４側面が断熱材１１で構成された箱型容器内にコンクリートスラブ１２を敷設し、その上に、多孔質セラミックス（例えば、後掲の実験例２と同様にして製造された多孔質セラミックス）１３を厚さ１０ｃｍに敷設し、試験体４とした。多孔質セラミックスの敷設面積は１ｍ２である。多孔質セラミックスの敷設面の上方１ｃｍの位置に温度センサ１４を設けた。
【０１０５】
別に、多孔質セラミックスを敷設しなかったものを試験体５とした。この試験体５ではコンクリートスラブ１２の上方１ｃｍの位置に温度センサ１４を設けた。
【０１０６】
これらの試験体４，５を並べて置き、１日２４時間の温度センサ１４の測定温度の変化を調べ、結果を第１０図（ｂ）に示した。
【０１０７】
第１０図（ｂ）より明らかなように、多孔質セラミックスを敷設した試験体４と敷設していない試験体５とでは、１ｃｍ上方の大気温度として、最大５℃の差があった。
【０１０８】
この結果から、多孔質セラミックスを敷設することにより、屋上に設置された空調室外機の周辺温度を下げ、全階の空調の運転効率を向上させ、使用電力量を減らすことができることが分かる。
【０１０９】
＜Ａ−２．ビルの屋上緑化の代替及びＡ−３．ビルの屋上防水層のメンテナンス経費削減＞
多孔質セラミックスをビル屋上に敷設した場合（ケース１）と、これを敷設していない従来仕様（ケース２）と、芝生や低木を植えた屋上緑化の場合（ケース３）とで、単位面積当たりの初期費用（敷設ないし植栽費用）と２０年間の維持（メンテナンス）費用を試算し、その比較結果を第１１図に示した。
【０１１０】
第１１図に示されるように、多孔質セラミックスは初期費用のみでその後の維持管理は殆ど不要である。一方、多孔質セラミックスを敷設しない従来仕様のケース２では、防水層の補修等の維持費がかかり、結果として、本発明品と同等である。
【０１１１】
屋上緑化のケース３では、初期費用に加えて、剪定、刈込み、芝刈り、施肥、除草、病害虫防除、灌漑装置の点検、その他の総合点検等の維持費用がかさみ、第１１図に示す費用以外にも灌漑設備による散水のための運転に必要な電気代及び水道代がかかる。
【０１１２】
これらの結果から、前述の如く、多孔質セラミックスは、治水・蒸散において、芝生等植物の性能と同等であると共に、高耐久・長寿命かつ自然降雨を利用した維持管理不要なものである上に、屋上緑化に比較して、初期費用は１／２、維持費用も格段に安く、屋上緑化代替の有力候補となることが分かる。
【０１１３】
＜Ｂ−１．ヒートアイランド対策＞
東京都２３区内のビル屋上全てに多孔質セラミックスを敷設すると、治水・蒸散に機能する都市の蒸散面積を１０％増加させることができる。
【０１１４】
現在、ビルの屋上には機器類（室外機・熱源など）が設置されているが、多孔質セラミックスは、ビル屋上の各種機器の下にも敷設できるので、都市の蒸散面積を増やし、街区全体の温度を大幅に低減することができる。
【０１１５】
多孔質セラミックスと芝生の吸水・蒸散の繰り返し試験結果を示す第１３図から明らかなように、多孔質セラミックスは、芝生の約２倍の蒸散能力があるため、上記の１０％の都市の蒸散面積の増加は、芝生に替算すれば、２倍の２０％の都市の蒸散面積の増加となり、更なる有効性が明らかである。
【０１１６】
＜Ｂ−２・ゲリラ豪雨対策＞
多孔質セラミックスと芝生について、１０月２日〜１０月１６日の１５日間にわたる期間の単位体積当たりの蒸散量と吸水量の累計を比較した第１２図より明らかなように、多孔質セラミックスは芝生よりも２倍以上の吸水・蒸散量を有する。
【０１１７】
ビル屋上には多孔質セラミックスを１０ｃｍの厚さで５０ｋｍ２の面積に敷設すると１８０万ｍ３もの治水ができ、東京都２３区で３ｍｍ／ｈｒのゲリラ豪雨のピークカットを図ることができる。
【０１１８】
＜Ｂ−３．資源の再利用＞
多孔質セラミックスは、例えば、従来廃棄物とされていた長石キラ９０重量％と、その他の材料１０重量％で製造することができる。単位面積当たりの多孔質セラミックスの重量を４０ｋｇ／ｍ２とすると、５０００ｍ２の敷設に必要となる長石キラの量は、
５０００（ｍ２）×４０（ｋｇ／ｍ２）×０．９÷１０００＝１８０ｔｏｎ
となる。
【０１１９】
即ち、多孔質セラミックスを敷設面積として１日に５０００ｍ２生産すると、必要な廃棄物（長石キラ）原料は、１８０ｔｏｎ／日であり、廃棄物の有効利用効果は極めて大きい。
【０１２０】
以下、上記配合の多孔質セラミックスが保水性及び蒸散性に優れていることを示す実験結果について説明する。下記の実験例１〜５は本発明の好ましい組成を用いた多孔質セラミックスであり、実験例６〜１０はそれ以外の組成の多孔質セラミックスである。
【０１２１】
なお、以下の実験例で用いた原料は次の通りである。
【０１２２】
カリ長石：愛知県瀬戸産  長石
８号珪砂：勝野窯業製
長石キラ：愛知県瀬戸産  長石
吸水性ポリマー：三洋化成株式会社製
（篩によって粒径２０μｍアンダー（吸水性ポリマーＡ）、粒径
２０〜５０μｍ（吸水性ポリマーＢ）、粒径５０〜１００μｍ
（吸水性ポリマーＣ）に分級した。）
アルミナセメント：ラファージュ株式会社製
炭酸リチウム：試薬特級
ＣｕＯ：試薬特級
【０１２３】
［前提出願の実験例１〜１０］
水以外の原料を表１の割合で秤量し、ミキサ（ホソカワミクロン製ナウタミキサ）で乾式にて攪拌混合した。次いで、水を表１の割合でこの混合粉末に添加し、混練した。これを直径７０ｍｍ、最大厚さ１５ｍｍの略円盤形状に成形し、８０℃にて２４時間乾燥した。これをローラーハースキルン（最高焼成温度は表１に示す通り。炉通過時間は６０分）にて焼成し、多孔質セラミックスを製造した。
【０１２４】
各多孔質セラミックスについて成分分析を行うと共に特性測定を行った。結果を表１、表２に示す。
【０１２５】
なお、気孔率は、水銀ポロシメータ（Ｑｕａｎｔａｃｈｒｏｍｅ株式会社製）を用いて測定した。気孔の孔径分布を第６図及び第７図に示す。
【０１２６】
保水量は、次のようにして測定した。
【０１２７】
多孔質セラミックスを１０５℃で乾燥した後、放冷し、秤量し、重量（Ｗ１）を求める。次いで、２０℃の水中に２４時間浸漬した後、引き上げ、表面水を湿った布で拭き取り、飽水状態とする。この試料を秤量し、重量（Ｗ２）を求める。また、この飽水状態の多孔質セラミックスをメスシリンダー中の水中に投入し、体積（Ｖ）を求める。保水量（ｇ／ｃｍ３）を（Ｗ２−Ｗ１）／Ｖにより算出する。
【０１２８】
強度は１０ｃｍ×１０ｃｍ×０．５ｃｍのサンプルを作り３点曲げ試験（ＪＴトーシ株式会社、５０ｋＮデジタル曲げ試験機）によって測定した。
【０１２９】
凍結融解性能は、上記飽水状態の多孔質セラミックスを−２０℃に７５分保持して凍結させた後、３０℃に９０分保持して融解させる凍結・融解サイクルを２００サイクル繰り返し、破損の程度を観察することによって調べ、非常に良好（◎）、良好（○）、やや不良（△）、不良（×）で評価した。
【０１３０】
吸い上げ性能は、水を深さ５ｍｍに張った平たい容器内に、乾燥した多孔質セラミックスを置き、３０分吸水させた後、引き上げ、この３０分間の吸水量を上記保水量の測定方法と同様にして求める。体積については保水量測定時の体積を用いる。この３０分間の吸水量（ｇ／ｃｍ３）を吸い上げとする。
【０１３１】
蒸散効果持続日数は、蒸発の潜熱による冷却効果の持続日数であり、次のようにして測定した。
【０１３２】
第５図に示す通り、厚さ１５０ｍｍの再生ポリプロピレン樹脂製パレット１の上に、厚さ１００ｍｍの発泡スチロール板よりなる正方形状の囲枠２を載せ、容器とする。この容器の一辺は１０００ｍｍ、深さは８３０ｍｍである。容器の外周面にアルミ箔を張ってあ
る。
【０１３３】
この容器内に厚さ５００ｍｍに発泡スチロール板３を敷き詰め、その上面の５箇所に温度センサＴ１〜Ｔ５を配置する。
【０１３４】
この発泡スチロール板３の上に厚さ１８０ｍｍ、比重２．２のコンクリート板４を載せる。このコンクリート板４の上に飽水状態の多孔質セラミックス５（第５図（ｂ）にのみ図示）を５０ｋｇ堆積させる。堆積厚さは約１０ｃｍ程度である。以上の作業は、気温２０℃、湿度６０％ＲＨの屋内で行う。この容器を３５℃、６０％ＲＨの恒温恒湿室中に放置し、温度センサの検出温度が３５℃に上昇するまでの日数を測定する。これを蒸散効果持続日数とする。
【０１３５】
また、各実験例で得られた多孔質セラミックスについて、吸水性を調べるために、第１４図に示すように、５個の多孔質セラミックス５１〜５５を用意し、水をはったパレット５０上に、最下段の多孔質セラミックス５５がその底部から１ｍｍ程度水に浸かるようにして、５段積み重ね、この状態で１時間放置した後、最上段の多孔質セラミックス５１の重量変化から、この多孔質セラミックス５１の吸水率（吸水前の多孔質セラミックスの重量に対する吸水した水の重量の割合）を算出した。
【０１３６】
【表１】
0005715398.tif 000002
【０１３７】
【表２】
0005715398.tif 000003
【０１３８】
［前提出願の考察］
表１の通り、上記の好ましい組成よりなる実験例１〜５の多孔質セラミックスは、吸い上げ性能及び蒸発効果持続日数に優れ、耐凍結融解性能、吸水性も良好である。
【０１３９】
これに対し、上記の好ましい組成に属さない、実験例６〜１０のうち実験例６は、気孔の孔径が過大であるため、吸い上げ性能及び蒸発効果持続日数、吸水性に劣る。
【０１４０】
実験例７は、気孔の孔径が過度に小さいため、凍結融解性能、吸水性に劣る。
【０１４１】
実験例８は、気孔率が８０％と過度に大きいため、強度及び凍結融解性能、吸水性に劣る。
【０１４２】
実験例９，１０は、保水量が低いため、蒸発効果持続日数が短く、吸水性も悪い。
【０１４３】
［本発明の実施例］
以下、上述の前提技術の保水用セラミックス／多孔質セラミックスを好適に使用することができる本発明の保水設備１０の実施の形態について説明する。ここでは、保水用セラミックスと多孔質セラミックスのことを合わせて「多孔質セラミックス」と呼ぶ。
【０１４４】
（第１の実施の形態）
図１５は、第１の実施の形態に係る保水設備１０の斜視図である。図１６は、第１の実施の形態に係る保水設備を図１５の矢印Ａ方向から見た側面図である。以下、すべての図面において、同等の構成要素には同じ符号を付し、適宜その説明を省略する。
【０１４５】
図１５および図１６に示すように、保水設備１０は施工対象面Ｐの上に設置されている。施工対象面Ｐは、ビルの屋上、舗装された路面、公園の地面など、屋外の略平面状の表面である。保水設備１０の施工対象面Ｐには、底上げ部材１０４が設置されている。底上げ部材１０４と施工対象面Ｐとの位置関係は固定されている。固定は接着剤や固定器具の使用など既知の方法でよいが、台風などの強風に耐える固定強度とする。
【０１４６】
底上げ部材１０４の上には、敷設部材１０２が固定されている。敷設部材１０２と底上げ部材１０４も、台風などの強風に耐える強度で固定されている。敷設部材１０２は、ネット状の部材であり通気性および通水性を有する。敷設部材１０２と底上げ部材１０４は、支持部材１００を形成している。敷設部材１０２の上面には、保水性および蒸発性を有する保水体１０６の集合体である保水構造体１０８が多数敷設されて保持されている。支持部材１００により、保水構造体１０８と施工対象面Ｐとの間に空間が形成されている。より表面積を大きくして蒸発効率を向上させるために、保水構造体１０８は多層構造であることが好ましい。
【０１４７】
保水構造体１０８における保水性（吸水性）と、吸収された水の蒸発性とを高めるために、比較的小さな保水体１０６を多数個利用し、保水構造体１０８の総表面積を大きくしている。保水体１０６の材料は、上述の多孔質セラミックスである。上述の多孔質セラミックスは、気孔率が高いため、保水性を維持しつつ、総表面積を大きくすることができる。
【０１４８】
施工対象面Ｐから敷設部材１０２の上面までの高さ（底上げ部材１０４の高さと敷設部材１０２の厚さとの合計）は、ｈ１である。また、敷設部材１０２の上面からの保水構造体１０８の高さは、ｈ２である。高さｈ１と高さｈ２の比率は任意でよいが、後述のとおり、高さｈ１＞高さｈ２であってもよい。
【０１４９】
敷設部材１０２は網目構造で、網目は保水体１０６の外形よりも小さい。そのため、通気性や通水性などの保水蒸発性と、保水体１０６の落下防止とが両立できる。
【０１５０】
敷設部材１０２として、軽量性、強度、および耐久性を有する化学繊維、金網、金属製の格子などでできたネットを採用できる。敷設部材１０２の色は黒色や白色など任意だが、保水設備１０全体の美観を考慮して、保水構造体１０８と同一ないし類似の色でもよい。
【０１５１】
保水設備１０は主に雨水を貯留するが、散水された水道水など、雨水以外の水を貯留してもよい。これによって、高温少雨の夏場に、貯留した水の蒸発冷却作用によって、建物や周囲の温度上昇を抑制することができる。
【０１５２】
以上、本実施の形態に係る保水設備１０によれば、敷設部材１０２と底上げ部材１０４を有する支持部材１００を設けることによって、保水設備１０の保水性を維持しつつ、通気性と通水性を確保し、蒸発性を向上をさせることができる。これにより、施工対象面Ｐの保護および施工対象面Ｐや保水構造体１０８の藻・カビの発生を抑制することができる。
【０１５３】
本実施の形態では、底上げ部材１０４を施工対象面Ｐに直接設置した。しかし、底上げ部材１０４によって施工対象面Ｐが擦れないよう、施工対象面Ｐの上に保護層などの層を別に設け、その上に底上げ部材１０４を固定してもよい。また、本実施の形態の敷設部材１０２は、後述の第４の実施の形態や第５の実施の形態のように、保水構造体１０８を収容する収容体として形成されていてもよい。
【０１５４】
（第２の実施の形態）
図１７は、第２の実施の形態に係る保水設備１０の斜視図である。以下、第１の実施の形態と異なる部分を中心に説明する。
【０１５５】
本実施の形態では、支柱状の底上げ部材１０４の高さを高くしたことにより、施工対象面Ｐから敷設部材１０２の上面までの高さｈ３を高さｈ１よりも高くした点が、第１の実施の形態と異なる。底上げ部材１０４には、高さを調節可能な高さ調節機構が設けられていてもよい。高さｈ３は、敷設部材１０２および保水構造体１０８の下部の施工対象面Ｐを人の歩行路として使用可能な高さである。高さｈ３は、具体的には１００ｃｍ以上、好ましくは１５０ｃｍ以上、より好ましくは２００ｃｍ以上である。一方、保水体１０６の落下の危険性や底上げ部材１０４の強度を考慮して、高さｈ３は３００ｃｍ以下であることが好ましい。底上げ部材１０４の高さを高くする場合には、保水設備１０の強度の観点から、底上げ部材１０４としてより強度のある部材を用いるのが好ましい。施工対象面Ｐには、ベンチＱが置かれてもよい。この場合には、高さｈ３は、人が中腰で歩ける１５０ｃｍ程度の高さであってもよい。
【０１５６】
本実施の形態に係る保水設備１０によれば、敷設部材１０２の下部により広いスペースが形成され、保水構造体１０８の蒸発性を高めることができる。したがって、本実施の形態によれば、第１の実施の形態の効果に加えて、人が保水設備１０の下に形成された日陰で涼むことができる保水設備１０を提供できる。
【０１５７】
（第３の実施の形態）
図１８は、第３の実施の形態に係る保水設備１０の斜視図である。本実施の形態では、取付部材１１６を介して、保水構造体１０８を敷設して保持する敷設部材１０２にワイヤ状の吊下げ部材１１４が取り付けられている。敷設部材１０２と吊下げ部材１１４は、支持部材１００を形成する。保水設備１０は、吊下げ部材１１４によって施工対象面Ｐの上方の構造物に固定されて吊り下げられている。吊下げ部材１１４の長さは、自由に調節可能である。そのため、施工対象面Ｐから敷設部材１０２の上面までの高さｈ４も自由に調節可能である。
【０１５８】
本実施の形態に係る保水設備１０によれば、敷設部材１０２の下部のスペースを容易に調節することができ、保水構造体１０８の蒸発性および人が歩行可能な高さを調節できる。また、施工対象面Ｐが略平面でなくても、保水設備１０を設置することができる。
【０１５９】
本実施の形態の保水設備１０は、施工対象面Ｐの上方の構造物として、たとえば温室など屋内設備の天上から吊り下げられてもよい。この場合、植物に水を供給するついでに保水構造体１０８に水を供給してもよい。また、本実施の形態の保水設備１０では、保水構造体１０８または敷設部材１０２の上に、観葉植物の鉢植えを置くことで、鑑賞性を併せもたせてもよい。また、図１８では、施工対象面Ｐの上方の構造物において、４点で保水設備１０を固定する場合を示したが、１点以上で固定すればよい。
【０１６０】
（第４の実施の形態）
図１９は、第４の実施の形態に係る保水設備１０の斜視図である。本実施の形態では、保水構造体１０８を敷設して保持する敷設部材１０２の四方に高さｈ５の側壁１１８を設けた点が、図１５の保水設備１０とは異なる。側壁１１８は、敷設部材１０２と同じくネット状の部材である。敷設部材１０２と側壁１１８は、支持部材１００を形成する。支持部材１００は、保水構造体１０８を収容可能で、上方が開放された定形の容器状の収容体として形成されている。この収容体には、かご、箱、袋、ネット袋、皿などが含まれる。また、支持部材１００は、底上げ部材１０４が取り付けられることにより、足付きの容器として形成されている。側壁１１８の高さｈ５は、保水構造体１０８の高さｈ２（図１６）よりも高い。
【０１６１】
本実施の形態に係る保水設備１０によれば、第１の実施の形態の効果に加えて、側壁１１８により、保水構造体１０８の飛散を防止することができる。また、保水構造体１０８の取り扱いが容易となり、より多くの保水体１０６を敷設部材１０２に敷設することができるため、施工性、運搬性が向上する。また、保水設備１０が定形であるため、複数の保水設備１０を隣接させて配置する際の設計が容易となる。
【０１６２】
なお、側壁１１８は、ネット状の部材ではなく網目を有さない板状の部材であってもよい。これにより、保水構造体１０８の飛散防止性を高めることができる。また、本実施の形態では、敷設部材１０２が上方が開放された定形の容器状に形成される場合を示したが、敷設部材１０２は不定形のネット状の袋などであってもよい。また、支持部材１００は、上方以外も開放された収容体であってもよい。また、本実施の形態に係る保水設備１０の運搬用には、段ボールなどの折りたたみ式の箱を使用してもよい。
【０１６３】
（第５の実施の形態）
図２０は、第５の実施の形態に係る保水設備１０の斜視図である。本実施の形態では、支持部材１００の四方の側壁１１８の上辺に蓋部１２２を設け、上方を覆蓋する定形の箱状に形成した点が、図１９の保水設備１０とは異なる。
【０１６４】
蓋部１２２は、敷設部材１０２や側壁１１８と同じくネット状の部材である。側壁１１８や蓋部１２２に強度を持たせることにより、保水設備１０の上面を人が歩行可能に形成されてもよい。また、支持部材１００は、上方の一部を覆蓋する箱状に形成されてもよい。
【０１６５】
本実施の形態に係る保水設備１０によれば、第４の実施の形態の効果を維持しつつ、飛散防止性、施工性、運搬性がさらに向上する。また、蓋部１２２の上面を人が歩行可能に形成した場合には、保水設備１０のメンテナンス性が向上する。
【０１６６】
以下、複数の実施の形態について有効な細部の構造等について説明する。
（変形例１）
図２１（ａ）と図２１（ｂ）は、支持部材１００の変形例を示す斜視図である。図２１（ａ）の支持部材１００では、ネット状の敷設部材１０２にかえて、保水構造体１０８の外形よりも小さな直径ｄ１の孔１１０が複数開けられた板状の敷設部材１０２が使用されている点が、図１６の支持部材１００とは異なる。一方、図２１（ｂ）の支持部材１００は、図２１（ａ）よりも幅の狭い４つの敷設部材１０２が、これらと直交する底上げ部材１０４と一体的に形成された、すのこ状である。４つの敷設部材１０２がそれぞれ等間隔で底上げ部材１０４と固定されることにより、支持部材１００には幅がｄ２の孔１１０が３つ形成されている。幅ｄ２は、保水構造体１０８の外形よりも小さい。
【０１６７】
この変形例によると、敷設部材１０２の強度を向上させつつ、孔１１０の径や数を調節することにより、保水構造体１０８の通気性、排水性、および蒸発性を調節することができる。
【０１６８】
（変形例２）
図２２は、保水構造体の敷設の変形例を示す、図２１の矢印Ｂ方向から見た側面図である。本変形例では、図２１（ａ）または図２１（ｂ）の敷設部材１０２の上に、所定数ごとにネット状の袋１１２に入れられた状態の保水構造体１０８が敷設されている。
【０１６９】
この変形例によると、支持部材１００と保水構造体１０８とを別々に取り扱うことができるため、施工性や運搬性が向上する。また、ネット状の袋１１２により、保水体１０６の飛散を防止することができる。また、孔１１０を保水体１０６の外形よりも大きくすることができるため、孔１１０をさらに大きくしたり数を増やしたりすることができ、保水構造体１０８の通気性、排水性および蒸発性をさらに向上させることができる。
【０１７０】
本発明は、上述の各実施の形態に限定されるものではなく、当業者の知識に基づいて各種の設計変更等の変形を加えることも可能であり、そのような変形が加えられた実施の形態も本発明の範囲に含まれうるものである。
【符号の説明】
【０１７１】
１０  保水設備、１００  支持部材、１０２  敷設部材、１０４  底上げ部材、１０６  保水体、１０８  保水構造体、１１０  孔、１１２  袋、１１４  吊下げ部材、１１６  取付部材、１１８  側壁、１２２  蓋部
【図１】
0005715398.tif 000004
【図２】
0005715398.tif 000005
【図３】
0005715398.tif 000006
【図４】
0005715398.tif 000007
【図５】
0005715398.tif 000008
【図６】
0005715398.tif 000009
【図７】
0005715398.tif 000010
【図８】
0005715398.tif 000011
【図９】
0005715398.tif 000012
【図１０】
0005715398.tif 000013
【図１１】
0005715398.tif 000014
【図１２】
0005715398.tif 000015
【図１３】
0005715398.tif 000016
【図１４】
0005715398.tif 000017
【図１５】
0005715398.tif 000018
【図１６】
0005715398.tif 000019
【図１７】
0005715398.tif 000020
【図１８】
0005715398.tif 000021
【図１９】
0005715398.tif 000022
【図２０】
0005715398.tif 000023
【図２１】
0005715398.tif 000024
【図２２】
0005715398.tif 000025